(57)【特許請求の範囲】
【請求項１】
少なくとも前部が略砲弾形の形状を有し水面を滑走する小型滑走艇の前部デッキ上に、前部カバーの前端部と船体との間に船体の長手方向に交差するよう配置されたヒンジ軸を中心に、該前部カバーを、開閉可能に形成するとともに、
上記ヒンジ軸を上記前部カバーの前端から後方に偏位した部位に設け、
上記略砲弾形の形状の一部を形成する上記前部カバーの前縁に隣接して、該前部カバーを開けた状態では該前部カバーの前縁部分を隠し、該前部カバーを閉めた状態では、該前部カバーと連続して上記略砲弾形の形状の一部を形成する別部材を、上記船体に一体的に設け、
且つ、上記別部材が、平面視において、中央部が前方に張出し両側が後方に後退するような略三日月形に形成されていることを特徴とする前部カバー構造を有する小型滑走艇。
【請求項２】
前記前部カバーの表面と前記別部材の表面とが連続した表面で形成され、かかる連続した表面が、該別部材から前部カバー側にゆくにしたがって徐々に上方に盛り上がるような曲面であることを特徴とする請求項１記載の小型滑走艇。
【請求項３】
前記ヒンジ軸が、側面視において前記別部材と前記前部カバーとが船体の長手方向において位置的にラップするように、該前部カバーの前端から後方に偏位した位置に、配置されていることを特徴とする請求項１又は２記載の小型滑走艇。
【発明の詳細な説明】
【０００１】
【発明の属する技術分野】
本発明は、水面を滑走する小型滑走艇（ Parsonal Watercraft（パーソナル・ウォータークラフト）; ＰＷＣとも呼ばれる) に関し、特にその前部カバー構造に関する。
【０００２】
【従来の技術および発明が解決しようとする課題】
小型滑走艇は、近年、レジャー用として、あるいはスポーツ用として普及している。
従って、小型滑走艇は性能は勿論のこと、その外観においても高いファッション性（機能的美観）が要求される。
また、一般に、小型滑走艇の場合、レジャー用モータボート等に比べて小型であることから、一箇所に大容量の収納スペースを確保することが困難なことから、艇（船体）の前部あるいは後部の空いているスペースを、収納スペースとして利用している。その一つとして、艇の前部にハッチカバーを設け、その下方に収納スペースを設けたものがある。この種の先行技術として実公平７−４５４２８号がある。
また、小型滑走艇は、スマートな外観を形成し流体抵抗を小さくすることを意図して、全体の形状が略砲弾形に形成されており、従って、上記ハッチカバーを含む船体全体が、一体性のある流体形状になっていることが要求される。
【０００３】
ところで、上述した艇の前部に設けられる前部カバー（前部ハッチカバーとも呼ばれる）は、前部カバーの前端（船首）部にヒンジ装置を配置して、前端を中心に前部カバーが開くよう構成することが多いが、この構成の場合、機構的な制約から船首部のデザインに少なからず制約がある。つまり、前部カバーの最前端（前縁）にヒンジ軸が位置するようヒンジ装置を配して取着すればよいが、上述したように全体が略砲弾形状の場合、前部カバーの最前端の部分では該前部カバーの幅が狭いため、該前部カバーが形状的な制限を受け、設計上の自由度も低い。このため、前部カバーの前縁から後方に偏位した位置に、ヒンジ軸（回動軸）が位置するようヒンジ装置を配置するが、この構成の場合、該ヒンジ軸から前方の部分は前部カバーの開閉動作の際に、船体内方に入り込むような挙動（動作）をとるため、この入り込む部分に相当する船体の船首部分に凹部を形成しなければならない。しかし、上述のように略砲弾形になって三次元的に狭くなった船首部分に凹部を形成するような構造にすると、凹んだ鋭角な屈曲部分をＦＲＰで成形することが技術的に難しい。
【０００４】
上述のような状況に鑑みて、本出願人は、ヒンジ装置にダブルアクション式のものを提供することによって、前部カバーの先端が開閉のときに該開閉動作の進行とともに上方に徐々に移動するような前部カバーのヒンジ装置を提供した（特許第２９０９０６７号）。
【０００５】
しかしながら、このヒンジ装置によって、上述した技術的課題を解決した場合、ヒンジ装置自体の構成が複雑になり、また重量的に重くなる。
【０００６】
本発明は、このような現況に鑑みおこなわれたもので、前部カバーを開いたときにも、小型滑走艇全体のスマートな形状を損なうことなく、且つ重量的にも増加させることなく、しかも、形状的にＦＲＰでの成形が容易な、前部カバー構造を提供することを目的とする。
【０００７】
【課題を解決するための手段】
本発明は、上記課題を、以下のような構成からなる前部カバー構造によって解決することができる。即ち、
本発明にかかる小型滑走艇は、少なくとも前部が略砲弾形の形状を有し水面を滑走する小型滑走艇の前部デッキ上に、前部カバーの前端部と船体との間に船体の長手方向に交差するよう配置されたヒンジ軸を中心に、開閉可能に形成され、
上記略砲弾形の形状の一部を形成する前部カバーの前縁に隣接して、該前部カバーを開けた状態では該前部カバーの前縁部分を隠し、該前部カバーを閉めた状態では、該前部カバーと連続して上記略砲弾形の形状の一部を形成する別部材を設けた前部カバー構造を有する。
【０００８】
しかして、このように構成された小型滑走艇の前部カバー構造によると、前部カバーを閉めている状態では勿論のこと、前部カバーを開いたときにも、該前部カバーの前縁部分（ヒンジ軸より前方の部分）は、別部材の下方に移動（回動）するが、正面視および側面視において、別部材によって隠されることから、該前部カバーを開けた状態においてもスマートな形状を損なうことはない。しかも、ヒンジ装置は、単にヒンジ軸とこれを支持する受け金具のみでよいため、重量的に増加することはない。
また、前部カバーの前方に隣接して別部材を配置しているため、船体側の前端部に前部カバーの先端部の逃げのための凹部を形成する必要がないことから、狭い部分に鋭角な屈曲を無くすことができる。従って、ハンドレイドでＦＲＰの成形を実施する場合にも、容易に実施できる。さらには、前部カバーと別部材、および船体側に、組立前に、簡単に別の色で塗装をおこなうことができるため、カラフルな塗装を施すことが多い小型滑走艇にとって好ましい構成となる。
【０００９】
また、上記前部カバー構造において、前部カバーと前記別部材との連続した表面で形成する面が、該別部材から前部カバー側にゆくにしたがって徐々に上方に盛り上がるような曲面であると、シンプルで且つスマートな形状の前部カバー構造を実現でき、且つＦＲＰでの成形も容易に行える構成となる。
【００１０】
また、上記前部カバー構造において、別部材が、平面視において、中央部が前方に張出し両側が後方に後退するような略三日月形に形成されていると、正面視において又側面視において、前部カバーの前縁部分を形状的に違和感なく隠すことができる構成となる。
【００１１】
また、上記前部カバー構造において、側面視において上記別部材と上記前部カバーが船体の長手方向において位置的にラップ（重複）するように、ヒンジ軸が、該前部カバーの前端から後方に偏位した位置に配置されていると、側面視において、前部カバーの前縁部分を形状的に違和感なく隠すことができる構成となる。
【００１２】
【発明の実施の形態】
以下、本発明の実施例にかかる前部カバー構造を有する小型滑走艇を、図面を参照しながら説明する。
【００１３】
図１は本発明の実施例にかかる小型滑走艇の前部カバー構造が採用されている小型滑走艇の全体側面図、図２は図１に示す小型滑走艇の全体平面図、図３は図１，図２に示す小型滑走艇の前部カバーを開けた状態を二点鎖線で表した小型滑走艇の前部の斜視図である。
【００１４】
図１，図２において、Ａは前部が略砲弾形のスマートな形状を有する船体で、この船体Ａは、ハルＨとその上方を覆うデッキＤから構成され、これらハルＨとデッキＤを全周で接続する接続ラインはガンネルラインＧと呼ばれ、この実施例では、このガンネルラインＧは、この小型滑走艇の喫水線Ｌ（非滑走状態の喫水線）より上方に位置している。
そして、上記デッキＤの中央よりやや後部には、図２に図示するように、上面が船体Ａの長手方向に沿って延びる平面視において略長方形の開口部１６が形成され、図１，図２に図示するように、この開口部１６上方に騎乗用のシートＳが配置されている。
また、エンジンＥは、上記シートＳ下方のハルＨとデッキＤに囲まれた横断面形状が「凸」状の空間内に配置される。
このエンジンＥは、多気筒（この実施例では３気筒）のエンジンＥで、図１に図示するように、クランクシャフト１０ｂが船体Ａの長手方向に沿うような向きで搭載されており、このクランクシャフト１１の出力端は、図１に図示するように、プロペラ軸１５を介して、インペラ２１が取着されているウォータージェットポンプＰのポンプ軸側に、一体的に回転可能に連結されている。そして、このインペラ２１は、その外周方が、ポンプケーシング２１Ｃで覆われ、小型滑走艇の底面に設けられた吸水口１７から取り入れた水を吸水通路を介して取り込み、ウォータージェットポンプ（推進ポンプ）Ｐで加圧・加速して、通水断面積が後方にゆくに従って小さくなったポンプノズル（噴出部）２１Ｒを通って、後端の噴射口から吐出して、推進力を得るよう構成されている。なお、図１において、２１Ｖは整流するための静翼である。また、図１，図２において、１０は操舵用のハンドルで、このハンドル１０を左右に操作することによって、プッシュプル式のケーブルＣａ（図２参照）を介して、上記ポンプノズル２１Ｒ後方のステアリングノズル１８を、垂直方向に配置された揺動軸１８ａ（図２参照）を中心に左右に揺動させて、ウォータージェットポンプＰの稼働（水の噴射）時に、艇を所望の方向に操舵できるよう構成されている。
また、図１に図示するように、上記ステアリングノズル１８の上後方には、水平に配置された揺動軸１９ａを中心に下方に揺動可能に、リバース用のデフレクター１９（図１参照）が配置され、このボウル形状のデフレクター１９をステアリングノズル１８後方の下方位置へ揺動動作させることによって、ステアリングノズル１８から後方に吐出される水を前方に転向させて、後進できるよう構成されている。
【００１５】
また、図１，図２において、１２は後部デッキで、この後部デッキ１２には、開閉式のハッチカバー２９が設けられ、ハッチカバー２９の下方に小容量の収納ボックスが形成されている。
【００１６】
ところで、上記略砲弾形を有する船体Ａの前部には、前部カバー１が配置されている。そして、この前部カバー１の前縁部分１ａの前方に隣接して、別部材２が船体ＡのデッキＤ上に、一体的に固定的に取着されている。この実施例では、この別部材２の船体Ａ側への固定は、螺子によっておこなわれている。
図１〜４に図示するように、上記前部カバー１とこれに連続する別部材２とは、略砲弾形の一部を形成するような流線形状を形成し、この実施例の場合、別部材２側から前部カバー１側にゆくにしたがって徐々に上方に盛り上がり、且つ船体の側端部から長手方向の中心線にゆくに従って徐々に上方に盛り上がった様な、全体的に連続した三次元的な曲面によって構成されている。
上述のような形状を有する別部材２は、平面視的に見ると、図２に図示するように、中央部が前方に張出し両側が後方に後退するような略「三日月」形の形状を有している。
そして、上記前部カバー１は、その前縁部分１ａ、具体的には、図４に拡大して図示するように、側面視において別部材２と船体の長手方向においてラップする（重なる）位置に、該船体Ａの長手方向の中心線に対して直交する方向、つまり船体Ａを横切る方向に、ヒンジ軸３が配置され、このヒンジ軸３を支持する受け金具４が、船体ＡのデッキＤ側に固定的に配置されている。また、上記ヒンジ軸３の上下方向の位置は、前部カバー１と別部材２との境界部分に位置するように配置され、前部カバー１が全開した状態において、該前部カバー１の前縁部分１ａが船体ＡのデッキＤの隠れた平面部分５に当接しないように配慮されている。また、上記受け金具４の後端部にはショックアブソーバ６の受け部４ｂが一体的に形成され、この受け部４ｂに該ショックアブソーバ６の下端がピン結合されている。また、上記前部カバー１のヒンジ軸３との連結部分から後方に離間した位置には、該ショックアブソーバ６の上端が、ピン結合されている。そして、このショックアブソーバ６は、バネ力によって、前部カバー１の開動作を補助するとともに、前部カバー１が開状態になっているときにその状態を維持するよう機能する。
【００１７】
しかして、このように構成された本実施例にかかる前部カバー構造によると、図１，図２あるいは図３に図示するように、前部カバー１が全閉している状態において、前部カバー１と別部材２とを含む小型滑走艇の前部は、全体的に、略砲弾形の形状を損なうことのない、つまり略砲弾形のスマートな形状となり、また、前部カバー１が開いている状態において、前部カバー１の前縁部分１ａは、正面視および側面視において、上記別部材２によって覆われるので、スマートな形状を維持することができる。
また、図４に図示するように、上記前部カバー１および別部材２は、それぞれ、極端に鋭角に屈曲させた部位がないため、ハンドレイドによって、ＦＲＰ（ファイバー・レインフォースド・プラステック）で成形する場合にも、容易に且つ所望のとおり成形することが可能となる。
また、上記別部材２が別体で形成されて後に螺子で取着されるよう構成されているため、船体ＡのデッキＤ部分の前端部分Ｄｆも、ＦＲＰの成形作業時にハンドレイドが可能な程度の屈曲部分から構成されることになるため、ＦＲＰの成形が容易に且つ所望のとおりにできる。
【００１８】
そして、前部カバー構造のヒンジ装置は、上述のように、ヒンジ軸３と受け金具４とのみから構成されることから、重量的に軽量化を図ることができる。
【００１９】
もっとも、本発明にかかる前部カバー構造の場合、デッキＤおよび前部カバー１あるいは別部材２について、特に材料的にＦＲＰに限定されることはなく、ＦＲＰ以外の材料で構成されていてもよいことは言うまでもない。
【００２０】
また、別部材の形状については、上記実施例の如く平面視において略「三日月」形に限定されるものでなく、平面視がＶ字状であってもよく、コの字形の形状であってもよい。
【００２１】
【発明の効果】
本発明にかかる前部カバー構造を有する小型滑走艇によれば、小型滑走艇の前部の略砲弾形のスマートな形状が該前部カバーの開閉の前後において維持することができ、しかも、重量的にも軽量化を図ることができる。さらに、鋭角な屈曲部を無くすことができるため、上記前部カバーと別部材およびデッキ部分をＦＲＰで成形する場合にも、容易に且つ正確に所望の形状に成形することができる。
【図面の簡単な説明】
【図１】  本発明の実施例にかかる前部カバー構造を有する小型滑走艇の全体側面図である。
【図２】  図１に示す小型滑走艇の全体平面図である。
【図３】  図１，図２に示す小型滑走艇の前部カバーを開けた状態を二点鎖線で表した小型滑走艇の前部の斜視図である。
【図４】  図１に示す小型滑走艇の前部の前部カバーの取着部分を表す部分拡大側面図である。
【符号の説明】
Ａ……船体
Ｄ……デッキ
１……前部カバー
１ａ……前部カバーの前縁部分
２……別部材
３……ヒンジ軸
【図１】
0004678923.tif 000002
【図２】
0004678923.tif 000003
【図３】
0004678923.tif 000004
【図４】
0004678923.tif 000005